(57)【要約】【課題】複数の気体分離膜モジュールを並列又は／及び直列に接続することができるマニフォルドを備え、それらの気体分離膜モジュールを流れるパージガスを一括に制御することができ、露点の異なる高圧乾燥空気を供給することのできる圧縮空気除湿器を提供する。【解決手段】圧縮空気除湿器は、高圧湿潤空気流入口と高圧乾燥空気流出口とに繋がる気体分離膜の筒、および該筒と該筒の覆いとの間に高圧乾燥空気の一部がパージガスとして導入、排出される空間を有する気体分離膜モジュール２を備え、高圧湿潤空気が該筒を通って該空間に湿気が排出される圧縮空気除湿器において、複数の気体分離膜モジュール２の高圧湿潤空気流入口と高圧乾燥空気流出口とを連結できるマニフォルド１を有し、該マニフォルド１には各気体分離膜モジュール２の該空間のパージガス導入口と排出口２６とを相互に連結させる流路１１ａ・１１ｂが形成されている。【選択図】図１
2009039611.tif 000002
【特許請求の範囲】
【請求項１】
高圧湿潤空気流入口と高圧乾燥空気流出口とに繋がる気体分離膜の筒、および該筒と該筒の覆いとの間に高圧乾燥空気の一部がパージガスとして導入、排出される空間を有する気体分離膜モジュールを備え、高圧湿潤空気が該筒を通って該空間に湿気が排出される圧縮空気除湿器において、複数の気体分離膜モジュールの高圧湿潤空気流入口と高圧乾燥空気流出口とを連結できるマニフォルドを有し、該マニフォルドには各気体分離膜モジュールの該空間のパージガス導入口と排出口とを相互に連結させる流路が形成されていることを特徴とする圧縮空気除湿器。
【請求項２】
該気体分離膜モジュールの該筒と該覆いとがＵ字型であり該高圧湿潤空気流入口と該高圧乾燥空気流出口が同一方向を向いて該マニフォルドに連結していることを特徴とする請求項１に記載の圧縮空気除湿器。
【請求項３】
該マニフォルドに連結された複数の気体分離膜モジュールの各高圧湿潤空気流入口と各高圧乾燥空気流出口とは夫々独立して高圧湿潤空気流入源と高圧乾燥空気流出先に連結可能であることを特徴とする請求項１に記載の圧縮空気除湿器。
【請求項４】
該マニフォルドに連結された複数の気体分離膜モジュールの各高圧湿潤空気流入口と各高圧乾燥空気流出口とが順に連結する流路が該マニフォルドに形成されていることを特徴とする請求項１に記載の圧縮空気除湿器。
【請求項５】
該マニフォルドに連結された複数の気体分離膜モジュールの各高圧湿潤空気流入口どうしが連結し、各高圧乾燥空気流出口どうしが連結する流路が該マニフォルドに形成されていることを特徴とする請求項１に記載の圧縮空気除湿器。
【請求項６】
該マニフォルドに連結された複数の気体分離膜モジュールの全ての高圧湿潤空気流入口と全ての高圧乾燥空気流出口を連結する流路が該マニフォルドに形成され、その各連結流路に流路閉鎖手段が設けられていることを特徴とする請求項１に記載の圧縮空気除湿器。
【請求項７】
前記した複数のモジュールを連結できる該マニフォルドの連結口うち、一部の連結口に該マニフォルドに連結されていることを特徴とする請求項１に記載の圧縮空気除湿器。
【請求項８】
該マニフォルドが略多面体であって、該多面に少なくとも２つの気体分離膜モジュールが略垂直に接続可能であること特徴とする請求項１に記載の圧縮空気除湿器。
【発明の詳細な説明】
【技術分野】
【０００１】
本発明は、複数の気体分離膜モジュールを接続可能なマニフォルドを備えた圧縮空気除湿器に関するものである。
【背景技術】
【０００２】
工場等の現場では、圧縮空気を乾燥するために、冷凍式圧縮空気除湿器と同等以上の除湿性能を有し、小型化・軽量化が容易で、電源不要で低コストである、気体分離膜式圧縮空気除湿器が広く使用されている。
【０００３】
特許文献１には、気体の導入側位置で排気口に対向する位置に、排気口から離間させて中空糸膜の側方にパージ気体の通流領域を確保し、中空糸膜を束状に支持するとともに、排気口に面する部位を遮蔽するバッファリングを取り付けた中空糸膜を使用した除湿装置が示されている。パージガスは、この文献の図１に示すように、装置内で除湿した乾燥ガスを戻して使う。
【０００４】
図１３に示すように、大量の圧縮空気を除湿する際には、圧縮空気除湿器は、複数の気体分離膜モジュール２がマニフォルド５５に連結されて、使用される。
【０００５】
しかし、このような圧縮空気除湿器は、圧縮空気の出入口の方向が限定されるし、各膜モジュール２ごとにオリフィス５６によるパージガスの制御がされるので、面倒である。また、膜モジュール２が並列に接続されるため、大量の圧縮空気を除湿することができても、圧縮空気の除湿能率を上げることができない。また、用途に合わせて露点の異なる乾燥空気を供給することもできない。
【０００６】
特許文献２には、複数の気体分離膜モジュールをマニホルドユニットに並列接続し、そのマニホルドユニットに設けた圧力計を監視しながら、流量調整手段でパージガスを一括調整するパージ用気体分配装置が示されている。
【０００７】
しかし、この気体分配装置は、複数の気体分離膜モジュールを並列に接続することができても、直列には接続することができないし、ましてや露点の異なる圧縮空気を供給することなどできない。また、この装置は、気体分離膜モジュールが直管型であるので、大掛かりになってしまう。
【０００８】
【特許文献１】特開平７−８７３９号公報
【特許文献２】特開２００２−３２０８１６号公報
【発明の開示】
【発明が解決しようとする課題】
【０００９】
本発明は前記の課題を解決するためになされたもので、複数の気体分離膜モジュールを並列又は／及び直列に接続することができるマニフォルドを備え、それらの気体分離膜モジュールを流れるパージガスを一括に制御することができ、露点の異なる高圧乾燥空気を供給することのできる圧縮空気除湿器を提供することを目的とする。
【課題を解決するための手段】
【００１０】
前記の目的を達成するためになされた、特許請求の範囲の請求項１に記載された圧縮空気除湿器は、高圧湿潤空気流入口と高圧乾燥空気流出口とに繋がる気体分離膜の筒、および該筒と該筒の覆いとの間に高圧乾燥空気の一部がパージガスとして導入、排出される空間を有する気体分離膜モジュールを備え、高圧湿潤空気が該筒を通って該空間に湿気が排出される圧縮空気除湿器において、複数の気体分離膜モジュールの高圧湿潤空気流入口と高圧乾燥空気流出口とを連結できるマニフォルドを有し、該マニフォルドには各気体分離膜モジュールの該空間のパージガス導入口と排出口とを相互に連結させる流路が形成されていることを特徴とする。
【００１１】
請求項２に記載された圧縮空気除湿器は、請求項１に記載されたものであって、該気体分離膜モジュールの該筒と該覆いとがＵ字型であり該高圧湿潤空気流入口と該高圧乾燥空気流出口が同一方向を向いて該マニフォルドに連結していることを特徴とする。
【００１２】
請求項３に記載された圧縮空気除湿器は、請求項１に記載されたものであって、該マニフォルドに連結された複数の気体分離膜モジュールの各高圧湿潤空気流入口と各高圧乾燥空気流出口とは夫々独立して高圧湿潤空気流入源と高圧乾燥空気流出先に連結可能であることを特徴とする。
【００１３】
請求項４に記載された圧縮空気除湿器は、請求項１に記載されたものであって、該マニフォルドに連結された複数の気体分離膜モジュールの各高圧湿潤空気流入口と各高圧乾燥空気流出口とが順に連結する流路が該マニフォルドに形成されていることを特徴とする。
【００１４】
請求項５に記載された圧縮空気除湿器は、請求項１に記載されたものであって、該マニフォルドに連結された複数の気体分離膜モジュールの各高圧湿潤空気流入口どうしが連結し、各高圧乾燥空気流出口どうしが連結する流路が該マニフォルドに形成されていることを特徴とする。
【００１５】
請求項６に記載された圧縮空気除湿器は、請求項１に記載されたものであって、該マニフォルドに連結された複数の気体分離膜モジュールの全ての高圧湿潤空気流入口と全ての高圧乾燥空気流出口を連結する流路が該マニフォルドに形成され、その各連結流路に流路閉鎖手段が設けられていることを特徴とする。
【００１６】
請求項７に記載された圧縮空気除湿器は、請求項１に記載されたものであって、前記した複数のモジュールを連結できる該マニフォルドの連結口うち、一部の連結口に該マニフォルドに連結されていることを特徴とする。
【００１７】
請求項８に記載された圧縮空気除湿器は、請求項１に記載されたものであって、該マニフォルドが略多面体であって、該多面に少なくとも２つの気体分離膜モジュールが略垂直に接続可能であること特徴とする。
【発明の効果】
【００１８】
本発明の圧縮空気除湿器は、複数の気体分離膜モジュールを並列又は／及び直列に接続可能である。したがって、並列接続の場合には、より量の多い圧縮空気を除湿し供給することができ、直列接続の場合には、より湿度の低い圧縮空気を供給することができる。
【００１９】
また、本発明の圧縮空気除湿器は、並列又は／及び直列接続される気体分離膜モジュールがＵ字型であるので、より一層の小型化が可能である。
【００２０】
また、本発明の圧縮空気除湿器は、複数の高圧乾燥空気流出先を備えているので、用途に合わせて露点の異なる圧縮空気を供給することができる。
【００２１】
また、本発明の圧縮空気除湿器は、複数の高圧湿潤空気流入源を備えているので、用途に合わせて異なる圧縮空気を別々に除湿し供給することができる。
【００２２】
また、本発明の圧縮空気除湿器は、パージガスの一括制御が可能であるので、簡便に圧縮空気の除湿を行うことができる。
【発明を実施するための好ましい形態】
【００２３】
以下、本発明の実施例を詳細に説明するが、本発明の範囲はこれらの実施例に限定されるものではない。
【００２４】
本発明を適用する圧縮空気除湿器の一実施形態の斜視図が図３に示されている。図２は、その圧縮空気除湿器を構成する気体分離膜モジュールの断面図である。また、図１は、その気体分離膜モジュールとマニフォルドとの接続途中を示す斜視図である。また、図４は、この圧縮空気除湿器を示す概略図である。
【００２５】
図３に示すように、圧縮空気除湿器は、主にマニフォルド１にＵ字型の気体分離膜モジュール２ａ・２ｂが接続されて構成される。また、マニフォルド１には、エアーコンプレッサに繋がる圧縮空気導入管３４及びエアーツールに繋がる圧縮空気供給管３５が接続されている。また、マニフォルド１は、連結口５が覆い３８によって覆われている（図１参照）。これら気体分離膜モジュール２ａ・２ｂ，圧縮空気導入管３４，圧縮空気供給管３５及び覆い３８は、ネジ１５によってマニフォルド１に確りと固定されている。
【００２６】
図１に示すように、マニフォルド１は、立方体の形状を有している。マニフォルド１の四方には、圧縮空気流路７ａ，７ｂ，７ｃ及び７ｄが備えられている。各圧縮空気流路７には、近傍の面に４つの連結口５がそれぞれ備えられ、連通されている。圧縮空気流路７ｂと７ｃとは、圧縮空気連結流路１０によって連通されている。
【００２７】
また、圧縮空気流路７ａと圧縮空気流路７ｂとの間，圧縮空気流路７ｃと圧縮空気流路７ｄとの間には、パージガス流路１１ａ，１１ｂがそれぞれ備えられている。パージガス流路１１ａ及び１１ｂには、近傍の面に３つのパージガス口９がそれぞれ備えられ、連通されている。また、パージガス流路１１ａと圧縮空気流路７ａとの間，パージガス流路１１ｂと圧縮空気流路７ｃとの間には、オリフィス２８，オリフィス２９がそれぞれ備えられ、連通されている。
【００２８】
また、各連結口５の周囲には、ネジ穴２５が備えられている。
【００２９】
図２に示すように、気体分離膜モジュール２は、中空糸膜２３が束ねられ、覆い３０及び覆い２７に収容されて構成されている。覆い３０には、高圧湿潤空気流入口２１及び高圧乾燥空気流出口１９が備えられ、中空糸膜２３に連結されている。また、覆い３０には、パージガス導入口１８及びパージガス排出口２６が備えられ、中空糸膜２３と覆い２７との空間であるパージガス流路２２を介して連通されている。覆い３０には、ネジ穴２０が備えられている（図１参照）。
【００３０】
この圧縮空気除湿器の組立方法を、図１及び図３を参照して説明する。
【００３１】
図１に示すように、気体分離膜モジュール２ａの高圧湿潤空気流入口２１及び高圧乾燥空気流出口１９をマニフォルド１の連結口５に挿入する。ネジ１５を、気体分離膜モジュール２ａのネジ穴２０及びマニフォルド１のネジ穴２５に螺合し、気体分離膜モジュール２ａとマニフォルド１とを確りと固定する。
【００３２】
図３に示すように、マニフォルド１を挟んで反対側にも同様に、気体分離膜モジュール２ｂを固定する。また、圧縮空気流路７ｄに繋がる連結口５に圧縮空気導入管３４を、圧縮空気流路７ｃに繋がる連結口５に圧縮空気供給管３５を夫々接続し、ネジ１５によって確りと固定する（図１参照）。また、その他の連結口５に覆い３８を覆い、ネジ１５によって確りと固定する。
【００３３】
また、圧縮空気導入管３４の先端をエアーコンプレッサに、圧縮空気供給管３５の先端をエアーツールに夫々接続する。
【００３４】
この圧縮空気除湿器の使用方法を、図２及び図４を参照して説明する。
【００３５】
図４に示すように、高圧湿潤空気流入源であるエアーコンプレッサ３から供給された圧縮空気４０は、圧縮空気導入管３４を介してマニフォルド１の連結口５に流入する。そして、圧縮空気４０は、圧縮空気流路７ｄを介して、高圧湿潤空気流入口２１ｂより、気体分離膜モジュール２ｂの中空糸膜２３ｂに流入する。
【００３６】
気体分離膜モジュール２ｂにおいて、圧縮空気４０中の水蒸気は、中空糸膜２３ｂを通過してパージガス流路２２ｂに流入する。すると、圧縮空気４０は除湿され、高圧乾燥空気流出口１９ｂよりマニフォルド１内に流入する（図２参照）。
【００３７】
マニフォルド１において、圧縮空気４０は、連結口５，圧縮空気流路７ｃ及び圧縮空気供給管３５を介して、高圧乾燥空気流出先であるエアーツール４に供給される。
【００３８】
また、一部の除湿された圧縮空気４０は、パージガス４１として、オリフィス２９を通過し、パージガス流路１１ｂ，パージガス口９及びパージガス導入口１８ｂを介してパージガス流路２２ｂに流入する。そして、流入したパージガス４１は、中空糸膜２３ｂを通過してパージガス流路２２ｂに流入した圧縮空気４０の水蒸気とともに、パージガス排出口２６ｂより排出される（図２参照）。
【００３９】
また、上部に接続された気体分離膜モジュール２ａにおいても同様に、圧縮空気４０が除湿されエアーツール４に供給されるとともに、水蒸気を含んだパージガス４１が、パージガス排出口２６ａより排出される。
【００４０】
この圧縮空気除湿器は、気体分離膜モジュール２ａ及び２ｂが並列接続されているので、より量の多い圧縮空気を除湿し、供給することができる。
【００４１】
図５に、本発明を適用する別な圧縮空気除湿器の概略図が示されている。
【００４２】
気体分離膜モジュール２ａ及び２ｃは、マニフォルド１の上部に直列接続されている。また、圧縮空気導入管３４と圧縮空気供給管３６とは、マニフォルド１の同一側面に接続されている。それ以外は図４に示す圧縮空気除湿器と同様の構造を有している。
【００４３】
この圧縮空気除湿器では、気体分離膜モジュール２ａにおいて除湿された圧縮空気４０が、圧縮空気連結流路１０を介して気体分離膜モジュール２ｃに流入し，さらに除湿される。したがって、この圧縮空気除湿器は、より湿度の低い圧縮空気を供給することができる。
【００４４】
図６に、本発明を適用する別な圧縮空気除湿器の概略図が示されている。
【００４５】
気体分離膜モジュール２ｂが接続され、圧縮空気流路７ｃの連結口５に圧縮空気供給管３５が接続されている以外は、図５に示す圧縮空気除湿器と同様の構造を有している。
【００４６】
この圧縮空気除湿器では、気体分離膜モジュール２ａにおいて除湿された圧縮空気４０が、圧縮空気供給管３５よりエアーツール４ｄに供給されるとともに、圧縮空気連結流路１０を介して気体分離膜モジュール２ｃに流入する。流入した圧縮空気４０は、さらに除湿され、圧縮空気供給管３６よりエアーツール４ｅに供給される。したがって、この圧縮空気除湿器は、露点の異なる圧縮空気を別々に供給することができる。
【００４７】
図７に、本発明を適用する別な圧縮空気除湿器の概略図が示されている。
【００４８】
パージガス流路１１ａとパージガス流路１１ｂとが外付けのパージガス連結流路４５によって連結されており、オリフィス２８のみが備えられている以外は、図５に示す圧縮空気除湿器と同様の構造を有している。
【００４９】
この圧縮空気除湿器では、パージガス４１が、オリフィス２８を通過し、パージガス流路１１ａ，パージガス口９及びパージガス導入口１８ｃを介して、気体分離膜モジュール２ｃのパージガス流路２２ｃに流れる。また、オリフィス２８を通過したパージガス４１は、パージガス連結流路４５，パージガス流路１１ｂ，パージガス口９及びパージガス導入口１８ａを介してパージガス流路２２ａに流れる。
【００５０】
すなわち、この圧縮空気除湿器は、パージガス４１がオリフィス２８により一括して制御されるので、除湿操作を簡便に行うことができる。
【００５１】
上記の圧縮空気除湿器は、空いている連結口５に、さらに気体分離膜モジュール２が接続されていてもよい。
【００５２】
また、連結口５は、覆い３８によって覆われ、ネジ１５により固定される例を示したが、その代わりに、連結口５にネジ加工が施され、それに合うプラグ等によって覆われ、固定されていてもよい。
【００５３】
また、本発明を適用する圧縮空気除湿器のマニフォルドは、オリフィス２８・２９の代わりに、流量可変バルブが備えられていてもよい。
【００５４】
図８に、本発明を適用する別な圧縮空気除湿器の概略図が示されている。
【００５５】
この圧縮空気除湿器は、気体分離膜モジュール２ａ，２ｂ及び２ｃがマニフォルド１に連結されている。
【００５６】
マニフォルド１は、エアーコンプレッサ３ａ，３ｂ及び３ｃが、圧縮空気流路８を介して連結口５ａ，５ｂ及び５ｃと夫々接続され、その間に流路閉鎖手段としてのバルブ６ａ，６ｈ，６ｏが夫々備えられている。同様に、エアーツール４ａ，４ｂ及び４ｃが、圧縮空気流路８を介して連結口５ｄ，５ｅ及び５ｆと夫々接続され、その間に流路閉鎖手段としてのバルブ６ｂ，６ｉ及び６ｐが夫々備えられている。
【００５７】
また、マニフォルド１は、バルブ６ａと連結口５ａとの間と、バルブ６ｈと連結口５ｂとの間が、流路８を介して接続され、バルブ６ｃ及びバルブ６ｆが備えられている。同様に、バルブ６ｊ及び６ｍ，６ｄ及び６ｇ，６ｋ及び６ｎが備えられている。
【００５８】
また、バルブ６ｃとバルブ６ｆとの間と、バルブ６ｄとバルブ６ｇとの間が、流路８を介して接続され、バルブ６ｅが備えられている。同様に、バルブ６ｌが備えられている。
【００５９】
気体分離膜モジュール２ａは、その高圧湿潤空気流入口２１ａ及び高圧乾燥空気流出口１９ａが、連結口５ａ及び５ｄと夫々連結されている。同様に、気体分離膜モジュール２ｂ及び２ｃがマニフォルド１に連結されている。
【００６０】
この圧縮空気除湿器の使用方法を、図９を参照して説明する。
【００６１】
気体分離膜モジュール２ａの高圧湿潤空気流入口２１ａ及び高圧乾燥空気流出口１９ａを、連結口５ａ及び５ｄに夫々連結する。同様に気体分離膜モジュール２ｂ及び２ｃを夫々連結する。
【００６２】
バルブ６ｂ，６ｃ，６ｇ，６ｈ，６ｉ，６ｊ，６ｎ及び６ｏを閉鎖する。すると、流入源３ａと流出先４ｃとの間では、気体分離膜モジュール２ａ，２ｂ及び２ｃが、その順に直列接続される。
【００６３】
エアーコンプレッサ３ａより、圧縮空気流路８に圧縮空気を流入する。圧縮空気は、バルブ６ａを通って、高圧湿潤空気流入口２１ａより気体分離膜モジュール２ａに流入し、除湿される。そして、除湿された圧縮空気は、高圧乾燥空気流出口１９ａより、バルブ６ｄ，バルブ６ｅ及びバルブ６ｆを通って、気体分離膜モジュール２ｂに流入し、さらに除湿される。除湿された圧縮空気は、バルブ６ｋ，バルブ６ｌ及びバルブ６ｍを通って、気体分離膜モジュール２ｃに流入し、除湿される。除湿された圧縮空気は、バルブ６ｐを通って、エアーツール４ｃに供給される。したがって、圧縮空気除湿器は、より湿度の低い圧縮空気を供給することができる。
【００６４】
また、この圧縮空気除湿器の別な使用方法を、図１０を参照して説明する。
【００６５】
気体分離膜モジュール２ａの高圧湿潤空気流入口２１ａ及び高圧乾燥空気流出口１９ａを、マニフォルド１の連結口５ａ及び５ｄに夫々連結する。同様に気体分離膜モジュール２ｂ及び２ｃを夫々連結する。
【００６６】
バルブ６ａ，６ｂ，６ｅ，６ｌ，６ｏ及び６ｐを閉鎖する。すると、流入源３ｂと流出先４ｂとの間では、気体分離膜モジュール２ａ，２ｂ及び２ｃが並列接続される。
【００６７】
エアーコンプレッサ３ｂより、圧縮空気流路８に圧縮空気を流入する。圧縮空気は、バルブ６ｈを通過し、三方に分かれる。
【００６８】
バルブ６ｆ及びバルブ６ｃを通った圧縮空気は、気体分離膜モジュール２ａに流入し、除湿され、バルブ６ｄ，バルブ６ｇを通り、合流する。また、圧縮空気は、気体分離膜モジュール２ｂに流入し、除湿され、合流する。また、バルブ６ｊ及びバルブ６ｍを通った圧縮空気は、気体分離膜モジュール２ｃに流入し、除湿され、バルブ６ｎ，バルブ６ｋを通り、合流する。
【００６９】
そして、除湿された圧縮空気は、バルブ６ｉを通って、エアーツール４ｂに供給される。したがって、圧縮空気除湿器は、より量の多い圧縮空気を除湿し、供給することができる。
【００７０】
また、この圧縮空気除湿器の別な使用方法を、図１１を参照して説明する。
【００７１】
気体分離膜モジュール２ａの高圧湿潤空気流入口２１ａ及び高圧乾燥空気流出口１９ａを、マニフォルド１の連結口５ａ及び５ｄに夫々連結する。同様に気体分離膜モジュール２ｂ及び２ｃを夫々連結する。
【００７２】
バルブ６ｂ，６ｃ，６ｇ，６ｈ，６ｊ，６ｎ及び６ｏを閉鎖する。すると、圧縮空気除湿器は、バルブ６ｉの開放によりマニフォルド１がエアーツール４ｂに繋がっている以外は、図９と同様な接続がされる。
【００７３】
エアーコンプレッサ３ａより、圧縮空気流路８に圧縮空気を流入する。圧縮空気は、バルブ６ａを通って、気体分離膜モジュール２ａに流入し、除湿される。そして、圧縮空気は、バルブ６ｄ，バルブ６ｅ及びバルブ６ｆを通って、気体分離膜モジュール２ｂに流入し、除湿される。そして、除湿された圧縮空気は、二方に分かれる。一方の圧縮空気は、バルブ６ｉを通って、エアーツール４ｂに供給される。また、他方の圧縮空気は、バルブ６ｋ，バルブ６ｌ及びバルブ６ｍを通って、気体分離膜モジュール２ｃに流入し、さらに除湿される。除湿された圧縮空気は、バルブ６ｐを通って、別なエアーツール４ｃに供給される。したがって、圧縮空気除湿器は、用途に合わせて露点の異なる圧縮空気を別々に供給することができる。
【００７４】
また、この圧縮空気除湿器の別な使用方法を、図１２を参照して説明する。
【００７５】
気体分離膜モジュール２ａの高圧湿潤空気流入口２１ａ及び高圧乾燥空気流出口１９ａを、マニフォルド１の連結口５ａ及び５ｄに夫々連結する。同様に気体分離膜モジュール２ｃを連結する。
【００７６】
バルブ６ｃ，６ｄ，６ｍ及び６ｎを閉鎖する。すると、流入源３ａと流出先４ａとの間では、気体分離膜モジュール２ａが、流入源３ｃと流出先４ｃとの間では、気体分離膜モジュール２ｃが、夫々接続される。
【００７７】
エアーコンプレッサ３ａより、圧縮空気流路８に圧縮空気を流入する。圧縮空気は、バルブ６ａを通って、気体分離膜モジュール２ａに流入し、除湿される。そして、除湿された圧縮空気は、バルブ６ｂを通って、エアーツール４ａに供給される。
【００７８】
また、エアーコンプレッサ３ｃより、別な圧縮空気を流入する。圧縮空気は、バルブ６ｏを通って、気体分離膜モジュール２ｃに流入し、除湿される。そして、除湿された圧縮空気は、バルブ６ｐを通って、別なエアーツール４ｃに供給される。
【００７９】
したがって、圧縮空気除湿器は、異なる圧縮空気を別々に除湿し、供給することができる。
【図面の簡単な説明】
【００８０】
【図１】本発明を適用する圧縮空気除湿器の気体分離膜モジュールの接続途中を示す斜視図である。
【図２】本発明を適用する圧縮空気除湿器の気体分離膜モジュールの断面図である。
【図３】本発明を適用する圧縮空気除湿器を示す斜視図である。
【図４】本発明を適用する圧縮空気除湿器の使用途中を示す概略図である。
【図５】本発明を適用する別な圧縮空気除湿器の使用途中を示す概略図である。
【図６】本発明を適用する別な圧縮空気除湿器の使用途中を示す概略図である。
【図７】本発明を適用する別な圧縮空気除湿器の使用途中を示す概略図である。
【図８】本発明を適用する別な圧縮空気除湿器の気体分離膜モジュールの接続途中を示す概略図である。
【図９】本発明を適用する別な圧縮空気除湿器の使用途中を示す概略図である。
【図１０】本発明を適用する別な圧縮空気除湿器の使用途中を示す概略図である。
【図１１】本発明を適用する別な圧縮空気除湿器の使用途中を示す概略図である。
【図１２】本発明を適用する別な圧縮空気除湿器の使用途中を示す概略図である。
【図１３】従来の圧縮空気除湿器を示す斜視図である。
【符号の説明】
【００８１】
１はマニフォルド、２，２ａ，２ｂ及び２ｃは気体分離膜モジュール、３，３ａ，３ｂ及び３ｃはエアーコンプレッサ、４，４ａ〜４ｃはエアーツール、５，５ａ〜５ｆは連結口、６ａ〜６ｐはバルブ、７ａ〜７ｄは圧縮空気流路、８は圧縮空気流路、９はパージガス口、１０は圧縮空気連結流路、１１ａ，１１ｂはパージガス流路、１５はネジ、１８，１８ａ，１８ｂ及び１８ｃはパージガス導入口、１９，１９ａ，１９ｂ及び１９ｃは高圧乾燥空気流出口、２０はネジ穴、２１，２１ａ，２１ｂ及び２１ｃは高圧湿潤空気流入口、２２，２２ａ，２２ｂ及び２２ｃはパージガス流路、２３は中空糸膜、２５はネジ穴、２６，２６ａ，２６ｂ及び２６ｃはパージガス排出口、２７は覆い、２８はオリフィス、２９はオリフィス、３０は覆い、３４は圧縮空気導入管、３５は圧縮空気供給管、３６は圧縮空気供給管、３８は覆い、４０は圧縮空気、４１はパージガス、４５はパージガス連結流路、５５はマニフォルド、５６はオリフィス、５７はパージガス流路である。
【図１】
2009039611.tif 000003
【図２】
2009039611.tif 000004
【図３】
2009039611.tif 000005
【図４】
2009039611.tif 000006
【図５】
2009039611.tif 000007
【図６】
2009039611.tif 000008
【図７】
2009039611.tif 000009
【図８】
2009039611.tif 000010
【図９】
2009039611.tif 000011
【図１０】
2009039611.tif 000012
【図１１】
2009039611.tif 000013
【図１２】
2009039611.tif 000014
【図１３】
2009039611.tif 000015